(57)【特許請求の範囲】
【請求項１】
床面に据え置き設置可能な本体ケースと、前記本体ケースの正面に形成され且つ床面に沿う幅広な吸引開口と、該吸引開口に連通するように前記本体ケース内に形成された吸引経路と、該吸引経路の経路終端部に設けられた集塵室と、前記吸引開口から前記集塵室に至る集塵空間に負圧を発生させる電動送風機とを備えた吸引式無用物収容装置において、
前記吸引開口側の断面積が前記集塵室側の断面積よりも大きくなるように前記吸引経路を前記本体ケースの正面側に向かって拡開させると共に前記吸引経路を略水平としたことを特徴とする吸引式無用物収容装置。
【請求項２】
前記本体ケースの側面を前記吸引経路の拡開形状に合わせたことを特徴とする請求項１に記載の吸引式無用物収容装置。
【請求項３】
前記本体ケースは上ケースと下ケースとに２分割され且つ前記上ケースは前記本体ケースの正面側に向かって倒れこむように前記下ケースに回動可能に連結され、前記下ケースには前記集塵空間が形成されると共に前記集塵室の上方に位置するフィルタ交換開口が形成され、前記上ケースには前記電動送風機が収納されると共に前記フィルタ交換開口と連通する連通口並びに上面に開放する吹出口が形成されていることを特徴とする請求項１に記載の吸引式無用物収容装置。
【請求項４】
前記吸引開口の上方に設けられた第２吸引開口と、前記吸引開口での吸引力よりも小さい吸引力で前記第２吸引開口から空気を吸引する吸引手段とを備えていることを特徴とする請求項１に記載の吸引式無用物収容装置。
【請求項５】
前記第２吸引開口と前記吸引手段とを空気清浄器用として使用することを特徴とする請求項４に記載の吸引式無用物収容装置。
【請求項６】
前記吸引開口の周縁部に前記電動送風機を駆動させるセンサーを設けたことを特徴とする請求項１に記載の吸引式無用物収容装置。
【請求項７】
前記電動送風機を所定時間経過後に自動的に停止させるタイマーを設けたことを特徴とする請求項６に記載の吸引式無用物収容装置。
【発明の詳細な説明】
【０００１】
【発明の属する技術分野】
本発明は、室内の床面上を箒等の清掃具によって清掃した際に集められた塵埃等の無用物を吸引することによって収納する吸引式無用物収容装置に関する。
【０００２】
【従来の技術】
従来から、図４（Ａ），（Ｂ）に示すように、建物の床面に据え置き設置可能な本体ケース１と、本体ケース１の正面に形成され且つ床面に沿う幅広な吸引開口２と、吸引開口２に連通するよう本体ケース１内に形成された吸引経路３と、吸引経路３の経路終端部に設けられた集塵室４と、吸引開口３から集塵室４に至って負圧を発生させる電動送風機（図示せず）を収納する電動送風機室５とを備えた吸引式無用物収容装置６が知られている（例えば、登録意匠第１０２５６０１号参照）。
【０００３】
そして、このような吸引式無用物収納装置６にあっては、箒等の清掃具７によって床面上の塵埃等の無用物８を吸引開口２の近傍に集め、本体ケース１の上面に設けられたスイッチ９の操作によって電動送風機を駆動させて吸引開口２から吸引経路３を経由させて集塵室４（又は集塵室４に設けられた集塵フィルター）内へと無用物８を吸引・収納する。
【０００４】
【発明が解決しようとする課題】
ところで、上記の如く構成された吸引式無用物収容装置６にあっては、吸引経路３の幅が吸引開口２と略同幅のまま集塵室４へと延在され、しかも、本体ケース１の上方に向かって延在された後に再び下方に向けて折り返されている。
【０００５】
従って、吸引経路３の容積が広くなってしまい、吸引経路３に負圧を作用させるために本体ケース１内に設けられる電動送風機が大型化してしまうばかりでなく、その駆動時間も長くないと吸引途中の無用物８が逆流して吸引開口２から床面に落下してしまうという問題があった。
【０００６】
また、このような吸引式無用物収容装置６は建物のコーナー部等の居住空間として比較的余裕のある場所に据え置かれるが、本体ケース１が略円柱形状を呈していることから、建物の壁面と本体ケース１との間（特に正面側）に隙ができてしまう。この隙は、吸引開口２の近傍にまで無用物８を集める際、清掃具７の払拭力によって無用物８の一部が入り込んでしまうばかりでなく、狭い隙から取り出すことが困難であるなどの問題も発生していた。
【０００７】
さらに、集塵室４に収納された無用物８の取出し（集塵フィルターの交換）を本体ケース１の背面に設けられた蓋体１ａの開閉によって行うが、本体ケース１の背面には上述したように建物の壁面が位置しているため、取出し（交換）作業が面倒であるという問題も生じていた。
【０００８】
しかも、清掃具７の払拭力によって吸引開口２の近傍にまで無用物８を集める際、吸引経路３が上向きである事と相俟って、無用物８の一部が舞い上がってしまい、無用物８を吸引しきれないという問題も生じていた。
【０００９】
また、常時は単に床面に据え置かれているだけで、実際に無用物８を吸引・収納するときにのみ稼動する専用機であるため、稼働率が低いという問題も生じていた。
【００１０】
さらに、電動送風機を駆動させる際には、スイッチ９を操作しなければならないが、吸引式無用物収容装置６の高さは４０〜５０ｃｍ程度である事から、比較的低い位置でのスイッチ操作となってしまうばかりでなく、清掃具７を持ったままスイッチ操作を行わなければならないため非常に面倒であるという問題も生じていた。
【００１１】
本発明は、上記事情に鑑みなされたものであって、電動送風機の小型化並びに駆動時間の短縮化を実現することができ、しかも、無用物の逆流を防止することができる吸引式無用物収容装置を提供することを目的とする。
【００１２】
また、建物の壁面と本体ケースとの間の隙の発生を防止することができる吸引式無用物収容装置を提供することを目的とする。
【００１３】
さらに、集塵室に収納された無用物の取出しを本体ケースを据え置き位置から移動させる事なく容易に行う事ができる吸引式無用物収容装置を提供することを目的とする。
【００１４】
しかも、舞い上がった無用物の吸引を可能とすることができる吸引式無用物収容装置を提供することを目的とする。
【００１５】
また、稼働率を向上させることができる吸引式無用物収容装置を提供することを目的とする。
【００１６】
さらに、電動送風機のスイッチ操作を容易に行うことができる吸引式無用物収容装置を提供することを目的とする。
【００１７】
【課題を解決するための手段】
その目的を達成するため、請求項１に記載の発明は、床面に据え置き設置可能な本体ケースと、前記本体ケースの正面に形成され且つ床面に沿う幅広な吸引開口と、該吸引開口に連通するように前記本体ケース内に形成された吸引経路と、該吸引経路の経路終端部に設けられた集塵室と、前記吸引開口から前記集塵室に至る集塵空間に負圧を発生させる電動送風機とを備えた吸引式無用物収容装置において、
前記吸引開口側の断面積が前記集塵室側の断面積よりも大きくなるように前記吸引経路を前記本体ケースの正面側に向かって拡開させると共に前記吸引経路を略水平としたことを要旨とする。
【００１８】
請求項２に記載の発明は、前記本体ケースの側面を前記吸引経路の拡開形状に合わせたことを要旨とする。
【００１９】
請求項３に記載の発明は、前記本体ケースは上ケースと下ケースとに２分割され且つ前記上ケースは前記本体ケースの正面側に向かって倒れこむように前記下ケースに回動可能に連結され、前記下ケースには前記集塵空間が形成されると共に前記集塵室の上方に位置するフィルタ交換開口が形成され、前記上ケースには前記電動送風機が収納されると共に前記フィルタ交換開口と連通する連通口並びに上面に開放する吹出口が形成されていることを要旨とする。
【００２０】
請求項４に記載の発明は、前記吸引開口の上方に設けられた第２吸引開口と、前記吸引開口での吸引力よりも小さい吸引力で前記第２吸引開口から空気を吸引する吸引手段とを備えていることを要旨とする。
【００２１】
請求項５に記載の発明は、前記第２吸引開口と前記吸引手段とを空気清浄器用として使用することを要旨とする。
【００２２】
請求項６に記載の発明は、前記吸引開口の周縁部に前記電動送風機を駆動させるセンサーを設けたことを要旨とする。
【００２３】
請求項７に記載の発明は、前記電動送風機を所定時間経過後に自動的に停止させるタイマーを設けたことを要旨とする。
ことを要旨とする。
【００２４】
【発明の実施の形態】
次に、本発明の吸引式無用物収容装置の実施の形態を図１及び図２に基づいて説明する。
【００２５】
図１（Ａ）において、吸引式無用物収容装置１０は、建物の床面１１に据え置き設置可能な略三角柱状の本体ケース１２を有する。この本体ケース１２は下ケース１３と上ケース１４とを備え、図１（Ｂ）に示すように、各ケース１３，１４の正面側対向縁部に跨って設けられたヒンジ１５によって上ケース１４が本体ケース１２の正面側に可倒自在となっている。
【００２６】
下ケース１３の正面には、床面１１に沿う吸引開口１６が形成されている。また、下ケース１３内には、図２に示すように、吸引開口１６に連通する吸引経路１７と、吸引経路１７の経路終端部に設けられた集塵室１８と、集塵室１８の上方に形成されたフィルタ交換開口１９とが形成されている。
【００２７】
吸引開口１６は床面１１の直上に位置しており、開口幅３５〜４５ｃｍ、開口高さ１．５〜２．５ｃｍに設定されている。また、吸引開口１６の下縁部には床面１１から吸引開口１６に向かって上向き傾斜した無用物案内部２０が形成されている。
【００２８】
吸引経路１７は吸引開口１６から集塵室１８に向かって略水平方向に延在されている。また、吸引経路１７の断面開口高さは吸引開口１６の開口高さのままとされ、本体ケース１２が三角柱形状であることと相俟って、吸引開口１６側の断面積が集塵室１８側の断面積よりも大きくなるように下ケース１３の正面側に向かって拡開されている。
【００２９】
集塵室１８は、吸引経路１７の奥行き方向略中央から奥側の上方に位置しており、下ケース１３の仕切り１３ａによって吸引経路１７と上下方向で隔絶されていると共に、吸引経路１７の経路終端部と上下で連通されている。また、集塵室１８の断面開口高さは４．５〜５．５ｃｍと吸引経路１７の断面開口高さよりも高く設定されている。さらに、集塵室１８内には集塵フィルター２１が設けられている。この集塵フィルター２１は上ケース１４を本体ケース１２の正面側に倒し込むことによってフィルタ交換開口１９から着脱することができる。
【００３０】
上ケース１４は、その全幅に跨ったまま上方へと延在する仕切り２２によって電動機室２３と清浄器室２４とに分割されている。また、上ケース１４の底面にはフィルタ交換開口１９と対応する連通口２５が形成されている。さらに、上ケース１４の底面には連通口２５と略一致する開口２６を備えていると共に連通口２５と対向していない部分のフィルタ交換開口１９を密閉するパッキン２７が設けられている。
【００３１】
電動機室２３内には、吸引開口１６から集塵室１８に至る集塵空間２８に負圧を発生させる電動送風機２９が設けられている。また、電動機室２３の上方に形成された吹出口３０にはフィルタ３１とルーバー３２とが着脱可能に設けられている。
【００３２】
電動送風機２９は、電動機室２３に設けられたリブ３３に環状パッキン３４を介して固定されている。尚、電動送風機２９の電源には家庭用電源が使用され、図示を略する配線コードによって供給される。
【００３３】
清浄器室２４の下方には、上ケース１４の正面に露出する赤外センサー３５や清掃具によって押圧操作可能な起動スイッチ３６を有すると共にタイマー回路等を内蔵した制御ボックス３７が設けられている。また、清浄器室２４には、上ケース１４の正面で且つ吸引開口１６の上方に設けられた第２吸引開口３８から室内空気を吸気する吸引ファン３９並びに駆動モータ４０とが設けられている。さらに、清浄器室２４の上方寄りには、駆動モータ４０の駆動制御する清浄器スイッチ４１を上ケース１４の正面から露出させた駆動回路ボックス４２が設けられている。しかも、清浄器室２４の上方に形成された吹出口４３にはフィルタ４４とルーバー４５とが着脱可能に設けられている。
【００３４】
赤外センサー３５は、清掃作業者や清掃具を検知することによって電動送風機２９を自動的に駆動させるもので、その検知範囲の上限は３０〜４０ｃｍ程度に設定されている。
【００３５】
ところで、この赤外センサー３５は、例えば、吸引開口１６に設け、清掃具によって床面上の無用物を吸引開口１６の近傍に集めた際、その払拭力の勢いによって無用物の一部が吸引開口１６から吸引経路１７へと入り込んだことを検知して電動送風機１９を駆動させても良い。
【００３６】
この際、吸引式無用物収容装置１０が建物居住空間のコーナー部に設置されることから、ゴキブリや蟻等の通り道にもなり易く、このゴキブリや蟻等が吸引開口１６から吸引経路１７へと入り込んだことを検知してゴキブリや蟻等を自動的に集塵フィルター２１内へと取り込むことも可能である。また、このゴキブリや蟻等が吸引開口１６から逃げ出そうとした場合にも検知作用が働くため、その度毎に電動送風機２９が駆動して集塵フィルター２１内へとゴキブリや蟻等を取り込むことができる。
【００３７】
起動スイッチ３６は人為的に電動送風機２９を駆動させたい場合に使用され、本体ケース１２の比較的低い位置あることから、清掃具そのものによっての操作が可能であり、電動送風機２９の駆動操作を容易に行うことができる。なお、起動スイッチ３６の操作並びに赤外センサー３５の検知によって駆動した電動送風機２９は制御ボックス３７に内蔵のタイマー回路によって所定時間経過後（例えば、２〜３秒間）に自動的にその駆動が停止される。
【００３８】
吸引ファン３９と駆動モータ４０とは吸引手段を構成しており、清浄器スイッチ４１の操作によって駆動制御され、これにより空気清浄器としての機能を有する。
【００３９】
また、清浄器スイッチ４１の操作によって駆動モータ４０の駆動が停止している状態で赤外センサー３５の検知或いは起動スイッチ３６の操作によって電動送風機２９が駆動している場合にも駆動モータ４０が駆動され、これにより清掃具の払拭力によって舞い上がった塵埃等を第２吸引開口３８から吸引し、フィルター４４で吸着する機能を具備している。
【００４０】
尚、駆動モータ４０の停止は電動送風機２９と同様に制御ボックス３７に内蔵のタイマー回路によって所定時間経過後（例えば、２〜３秒間）に自動的に停止される。この際、駆動モータ４０の停止を電動送風機２９の駆動停止よりも若干遅延させることによって舞い上がった塵埃等の吸引効果を向上させることができる。
【００４１】
また、清掃具によって集められた無用物は、吸引開口１６から吸引することが前提であることから、第２吸引開口３８からの室内空気の吸引力は、吸引ファン３９の大きさや駆動モータ４０の出力設定により、吸引開口１６での吸引力よりも小さく設定されている。尚、第２吸引開口３８は安全性確保のためネット４６に覆われている。
【００４２】
ところで、図３に示すように、吸引ファン３９を電動機室２３へと臨む従動シャフト４７に連結すると共に従動シャフト４７の先端に従動ギヤ４８を設ける一方、電動機室２３内で回転可能に保持された駆動シャフト４９の一端に電動送風機２９の排気風力によって回転する駆動ファン５０を設けると共に駆動シャフト４９の他端に従動ギヤ４８と噛み合う駆動ギヤ５１を設け、駆動モータ４０を廃止して電動送風機２９を共用することも可能である。
【００４３】
この際、吸引ファン３９の大きさを小さくすることによって吸引開口１６の吸引力よりも第２吸引開口３８の吸引力を小さくすることができる。また、吸引ファン３９の回転方向を室内側からの空気吸引方向とするため、駆動ファン５０の回転方向を羽形状や規制手段（一方側のみの回転を許容）によって制御する。さらに、第２吸引開口３８の開口面積は大きいほうが良いため、第２吸引開口３８と吸引ファン３９との間に漏斗状の集風器５２を設けることも可能である。尚、図３において、上述した他の構成は上記実施の形態と同一の構成であるため同一の符号を付してその説明は省略する。
【００４４】
このような構成において、吸引式無用物収容装置１０は、建物のコーナ部の床面１１に壁面１１ａと密着した状態で据え置き設置することができる。
【００４５】
そして、喫煙等によって室内空気が汚れた場合（又は常時）には、清浄器スイッチ４１を操作して駆動モータ４０を駆動させ、吸引ファン３９の回転によって室内空気を第２吸引開口３８から清浄器室２４へと吸引し、フィルタ４４を通過させることによって塵埃や汚れを取り除いて清浄化した後、ルーバー４５を経由させて吹出口４３から再び室内へと放出する。
【００４６】
この際、ルーバー４５は、清浄化した空気をケース本体１２の正面側、即ち、室内居住空間の内側へと放出することにより、室内居住空間の空気を効率良く循環させることができる。
【００４７】
一方、箒等の清掃具によって床面１１を払拭しつつ塵埃や髪の毛等の無用物を吸引式無用物収容装置１０の近傍（吸引開口１６の近傍）にまで集めると、赤外センサー３５が清掃者若しくは清掃具を検知して電動送風機２９並びに駆動モータ４０を駆動させる。
【００４８】
電動送風機２９が駆動すると、その吸引開口１６の周辺に集められた無用物が強制的に吸い込まれ、吸引経路１７を経由して集塵室１８に設けられた集塵フィルター２１内へと収容される。
【００４９】
この際、吸引経路１７は正面側に向かって拡開している（奥に向かう程順次狭くなる）ことから、奥に向かう程吸引速度の流速が早くなるため、吸引経路電動送風機２９の動力が小さくとも無用物を短時間で吸引するに十分な設定とすることができる。
【００５０】
一方、清掃具によって無用物を吸引開口１６の近傍にまで集める払拭力や吸引開口１６からの吸引の際に舞い上がった無用物は、電動送風機２９と連動して駆動する駆動モータ４０並びに吸引ファン３９の吸引作用によって、第２吸引開口３８から取り込み、フィルタ４４に取り込まれる。
【００５１】
この際、集塵フィルター２１を通過した吸引風は、連通口２５並びに開口２６を経由してフィルター３１を通過し、ルーバー３２によってケース本体１２の後方側に向けて吹出口３０から放出される。
【００５２】
従って、空気清浄機の際、即ち、清浄器室２４側からの放出とは逆方向への放出となるため、その放出が互いに相殺されることなく、効率の良い排気を行うことができる。
【００５３】
そして、所定時間経過後には電動送風機２９並びに駆動モータ４０の駆動が自動で停止するため、何ら停止操作することなく、無用物の収容に至る清掃作業を停止することができる、
この際、無用物の吸引・終了が完了していない場合には、起動スイッチ３６を清掃具で押圧操作することによって、再び、電動送風機２９と駆動モータ４０とが駆動して無用物の吸引・収容を行うことができる。
【００５４】
【発明の効果】
以上説明したように、本発明の吸引式無用物収容装置にあっては、前記吸引開口側の断面積が前記集塵室側の断面積よりも大きくなるように前記吸引経路を前記本体ケースの正面側に向かって拡開させると共に前記吸引経路を略水平としたことにより、電動送風機の小型化並びに駆動時間の短縮化を実現することができ、しかも、無用物の逆流を防止することができる。
【００５５】
請求項２に記載の発明は、前記本体ケースの側面を前記吸引経路の拡開形状に合わせたことにより、建物の壁面と本体ケースとの間の隙の発生を防止することができる。
【００５６】
請求項３に記載の発明は、前記本体ケースは上ケースと下ケースとに２分割され且つ前記上ケースは前記本体ケースの正面側に向かって倒れこむように前記下ケースに回動可能に連結され、前記下ケースには前記集塵空間が形成されると共に前記集塵室の上方に位置するフィルタ交換開口が形成され、前記上ケースには前記電動送風機が収納されると共に前記フィルタ交換開口と連通する連通口並びに上面に開放する吹出口が形成されていることにより、集塵室に収納された無用物の取出しを本体ケースを据え置き位置から移動させる事なく容易に行う事ができる。
【００５７】
請求項４に記載の発明は、前記吸引開口の上方に設けられた第２吸引開口と、前記吸引開口での吸引力よりも小さい吸引力で前記第２吸引開口から空気を吸引する吸引手段とを備えていることにより、舞い上がった無用物の吸引を可能とすることができる。
【００５８】
請求項５に記載の発明は、前記第２吸引開口と前記吸引手段とを空気清浄器用として使用することにより、稼働率を向上させることができる。
【００５９】
請求項６に記載の発明は、前記吸引開口の周縁部に前記電動送風機を駆動させるセンサーを設けたことにより、電動送風機のスイッチ操作を容易に行うことができる。
【００６０】
請求項７に記載の発明は、前記電動送風機を所定時間経過後に自動的に停止させるタイマーを設けたことにより、電動送風機のスイッチ操作を容易に行うことができ、しかも、消電化並びに電動送風機の負荷を軽減することができる。
【図面の簡単な説明】
【図１】本発明の実施の形態に係わる吸引式無用物収容装置を示し、（Ａ）は吸引式無用物収容装置の正面図、（Ｂ）は上ケースを正面側に倒した状態の吸引式無用物収容装置の斜視図である。
【図２】同じく、吸引式無用物収容装置の縦断面図である。
【図３】吸引式無用物収容装置の変形例を示し、吸引式無用物収容装置の斜視図である。
【図４】従来の吸引式無用物収容装置を示し、（Ａ）は吸引式無用物収容装置の使用状態の斜視図、（Ｂ）は吸引式無用物収容装置の縦断面図である。
【符号の説明】
１０…吸引式無用物収容装置
１１…床面
１２…本体ケース
１６…吸引開口
１７…吸引経路
１８…集塵室
２８…集塵空間
２９…電動送風機
【図１】
0003756355.tif 000002
【図２】
0003756355.tif 000003
【図３】
0003756355.tif 000004
【図４】
0003756355.tif 000005